(57)【要約】【課題】注文番号を見誤ることによる注文ミスを防止しつつ画像全体を確認することができる見本プリント作成システム、見本プリント作成プログラム及び見本プリントを提供すること。【解決手段】画像入力手段により入力した複数の見本画像をプリント面上に配列した見本プリントを作成するためのプリント画像データを生成する見本プリント作成システムにおいて、前記複数の見本画像毎に同一形状の背景を生成する背景生成手段と、生成された背景に前記見本画像と該見本画像を特定する注文番号を互いに重ならないようにはめ込んでプリント画像を生成するプリント画像生成手段と、前記プリント画像生成手段で生成されたプリント画像をプリントするプリント手段とを備えたことを特徴とする見本プリント作成システム。【選択図】        図２
2005059520.tif 000002
【特許請求の範囲】
【請求項１】
画像入力手段により入力した複数の見本画像をプリント面上に配列した見本プリントを作成するためのプリント画像データを生成する見本プリント作成システムにおいて、
前記複数の見本画像毎に同一形状の背景を生成する背景生成手段と、生成された背景に前記見本画像と該見本画像を特定する注文番号を互いに重ならないようにはめ込んでプリント画像を生成するプリント画像生成手段と、前記プリント画像生成手段で生成されたプリント画像をプリントするプリント手段とを備えたことを特徴とする見本プリント作成システム。
【請求項２】
前記背景は四角形状に形成され、前記注文番号は対応する前記画像の上部、下部、左部、右部の何れかの位置にはめ込まれることを特徴とする請求項１記載の見本プリント作成システム。
【請求項３】
前記背景は前記注文番号をはめ込むためのタグ部を有する形状に形成されることを特徴とする請求項１記載の見本プリント作成システム。
【請求項４】
コンピュータを、画像入力手段において入力した複数の見本画像をプリント面上に配列した見本プリントを作成するためのプリント画像データを生成する手段として機能させる見本プリント作成プログラムであって、
前記複数の見本画像毎に同一形状の背景を生成する背景生成手段と、生成された背景に前記見本画像と該見本画像を特定する注文番号を互いに重ならないようにはめ込んでプリント画像データを生成するプリント画像データ生成手段として機能させることを特徴とする見本プリント作成プログラム。
【請求項５】
前記背景が四角形状に形成され、前記注文番号は対応する前記画像の上部、下部、左部、右部の何れかの位置にはめ込まれることを特徴とする請求項４記載の見本プリント作成プログラム。
【請求項６】
前記背景は前記注文番号をはめ込むためのタグ部を有する形状に形成されることを特徴とする請求項４記載の見本プリント作成プログラム。
【請求項７】
請求項１〜３に記載の見本プリント作成システムによって作成されることを特徴とする見本プリント。
【発明の詳細な説明】
【技術分野】
【０００１】
本発明は見本プリント作成システム、見本プリント作成プログラム及び見本プリントに関し、詳しくは注文番号を見誤ることによる注文ミスを防止しつつ画像全体を確認することができる見本プリント作成システム、見本プリント作成プログラム及び見本プリントに関する。
【背景技術】
【０００２】
写真スタジオでは、学校や企業などの団体における行事の様子を撮影して、撮影した写真に基づいて注文用の写真見本である見本プリントを作成して注文を受けていた。
【０００３】
従来の見本プリントを図６及び図７に基づいて説明すると、図６及び図７において、１００はそれぞれ見本プリントであり、撮影した所定数の写真１０１ａ、１０１ｂ、…のそれぞれに番号１０２ａ、１０２ｂ、…を付すと共に１枚にまとめてプリントすることによって見本プリント１００として得られた。
【０００４】
例えば学校における場合は、生徒が、かかる見本プリント１００を見て、自分が欲しい写真が例えば１０１ａであることを確認する。生徒は、見本プリントで確認しながら例えば写真１０１ａが欲しい場合は、番号１を指定して注文する。写真スタジオは、各生徒からの注文番号に基づいて生徒毎に注文された写真を特定し、特定された写真のプリントを行う。プリントした写真は、生徒毎に振り分けられ配布される。
【０００５】
このような見本プリントにおいて注文番号は、生徒等の注文者が注文番号を見間違えないように、図６及び図７に示すように画像内に注文番号を付していた。
【０００６】
しかし、このような見本プリントにおいては、図６に示すように画像が全く見えない欠陥部１０３が存在したり、図７に示すように画像の一部と誤認識してしまう重複部１０４が存在するため、注文する画像全体を確認することができなかった。画像全体を確認できるようにするために番号を画像の外に付すことも考えられるが、これでは、確実な受注をするうえで、注文者が番号を見間違えないようにした従来の見本プリントに劣る結果となってしまう。  
【発明の開示】
【発明が解決しようとする課題】
【０００７】
そこで本発明の課題は、注文番号を見誤ることによる注文ミスを防止しつつ画像全体を確認することができる見本プリント作成システム、見本プリント作成プログラム及び見本プリントを提供することにある。
【課題を解決するための手段】
【０００８】
上記課題は、以下の各発明によって解決される。
【０００９】
（請求項１）画像入力手段により入力した複数の見本画像をプリント面上に配列した見本プリントを作成するためのプリント画像データを生成する見本プリント作成システムにおいて、前記複数の見本画像毎に同一形状の背景を生成する背景生成手段と、生成された背景に前記見本画像と該見本画像を特定する注文番号を互いに重ならないようにはめ込んでプリント画像を生成するプリント画像生成手段と、前記プリント画像生成手段で生成されたプリント画像をプリントするプリント手段とを備えたことを特徴とする見本プリント作成システム。
【００１０】
（請求項２）前記背景は四角形状に形成され、前記注文番号は対応する前記画像の上部、下部、左部、右部の何れかの位置にはめ込まれることを特徴とする請求項１記載の見本プリント作成システム。
【００１１】
（請求項３）前記背景は前記注文番号をはめ込むためのタグ部を有する形状に形成されることを特徴とする請求項１記載の見本プリント作成システム。
【００１２】
（請求項４）コンピュータを、画像入力手段において入力した複数の見本画像をプリント面上に配列した見本プリントを作成するためのプリント画像データを生成する手段として機能させる見本プリント作成プログラムであって、前記複数の見本画像毎に同一形状の背景を生成する背景生成手段と、生成された背景に前記見本画像と該見本画像を特定する注文番号を互いに重ならないようにはめ込んでプリント画像データを生成するプリント画像データ生成手段として機能させることを特徴とする見本プリント作成プログラム。
【００１３】
（請求項５）前記背景が四角形状に形成され、前記注文番号は対応する前記画像の上部、下部、左部、右部の何れかの位置にはめ込まれることを特徴とする請求項４記載の見本プリント作成プログラム。
【００１４】
（請求項６）前記背景は前記注文番号をはめ込むためのタグ部を有する形状に形成されることを特徴とする請求項４記載の見本プリント作成プログラム。
【００１５】
（請求項７）請求項１〜３に記載の見本プリント作成システムによって作成されることを特徴とする見本プリント。
【発明の効果】
【００１６】
本発明によれば、注文番号を見誤ることによる注文ミスを防止しつつ画像全体を確認することができる見本プリント作成システム、見本プリント作成プログラム及び見本プリントを提供することができる。
【発明を実施するための最良の形態】
【００１７】
以下、本発明の実施の形態について説明する。
【００１８】
図１は、本発明の見本プリント作成プログラムの処理を実現する見本プリント作成システムの概略構成の一例を示す図である。
【００１９】
図１において、本発明の見本プリント作成システムは、各種処理を行うコンピュータ１００、画像の入力を行うスキャナ２００、画像の表示を行う表示手段としてのモニタ３００、各種入力を行うキーボード４００及びマウス５００、プリントを行うプリンタ６００により構成されている。
【００２０】
コンピュータ１００は本発明のプリント用画像データ生成プログラムをインストールすることにより、スキャナ２００、モニタ３００、キーボード４００及びマウス５００、プリンタ６００を制御しつつ各種処理を行う。
【００２１】
スキャナ２００は、見本プリントに配列される見本画像を入力する。具体的には、見本プリントに配列して注文を受け付けたい画像が記録された原稿をスキャンして画像データを生成する。生成した画像データはコンピュータ１００に送信される。
【００２２】
モニタ３００は、コンピュータ１００の制御に基づいてスキャナ２００等において入力された見本画像を確認するために表示したり、各種入力を行う際に入力内容を確認するために表示したり、生成された見本プリントのイメージを表示したりする。モニタ３００は、必要に応じてタッチパネルの機能を持ち、入力装置を兼ねることもできる。モニタ３００は、必須の構成ではないが、設けられることにより、画像や入力内容を確認しながら見本プリントの作成ができるので、好ましい態様である。
【００２３】
キーボード４００及びマウス５００は、必要に応じてユーザが入力するための装置として用いられる。
【００２４】
プリンタ６００は、生成された見本プリントを作成するためのプリント画像データに基づいてプリントを行うことによって見本プリントを得る。
【００２５】
また、本発明の見本プリント作成システムにおいてコンピュータ１００は図示しない通信手段によって外部装置とデータの送受をすることができることが好ましい。通信手段は、有線と無線のいずれでもよく、インターネット、ＬＡＮ、専用の通信回線等、その形態は問わない。
【００２６】
本発明において、見本画像とは、注文を受け付けるために見本プリントにプリントされる画像である。
【００２７】
図２は見本プリント作成システムに用いられるコンピュータの一例を示すブロック図である。
【００２８】
コンピュータ１００は、見本プリント作成システムの各部を制御するメイン制御部１０１と、画像入力手段で入力した見本画像の入力を受け付ける画像入力部１０２と、プログラムを格納したり画像入力部１０２から入力した見本画像を記憶したりする主記憶部１０３と、表示手段の表示を制御する表示制御部１０４と、ユーザの操作入力を受け付ける操作入力部１０５と、背景の生成処理を行う背景生成処理部１０６と、プリント画像データの生成処理を行うプリント画像データ生成処理部１０７と、生成されたプリント画像データを出力するプリント画像データ出力部１０８と、外部装置と通信を行うための外部通信部１０９とを備えている。
【００２９】
次に、本発明の見本プリント作成プログラムによって制御されて実現する見本プリント作成システムの動作について以下詳細に説明する。
【００３０】
図３は、本発明のプリント用画像データ生成プログラムによって制御される図１の見本プリント作成プログラムの処理フローを示す図である。
【００３１】
図３において、画像入力手段で注文を受け付ける見本画像を入力する（Ｓ１）。
【００３２】
画像データの入力のトリガーとしては、図示しないキーボードやマウス等の入力手段によりユーザの画像データを入力する旨の指示を受け付けたこと、あるいはコンピュータの図示しない制御部（本発明の見本プリント生成プログラムが処理されることによって実現する）が自動的に所定のタイミングと判断したことがトリガーとなる。
【００３３】
画像データの入力は、画像入力部１０２においてメイン制御部１０２の制御に基づいて画像データを取得することによりなされる。具体的には、上記のいずれかのトリガーがあったと判断されたときに、スキャナ２００から原稿をスキャンすることによって生成した画像データを取得したり、画像データを記録した例えばコンパクトフラッシュ（登録商標）、スマートメディア、メモリースティック（登録商標）、マルチメディアカード、ＳＤメモリーカード、フレキシブルディスク、ＭＯ、ＣＤ−Ｒ等の外部記録媒体から又は外部通信部１０９を介して画像データを取得する。
【００３４】
次いで、前記画像入力手段において入力された見本画像の画像データを記憶する（Ｓ２）。
【００３５】
Ｓ１において入力された当該見本画像の画像データは、主記憶部１０３により記憶される。
【００３６】
入力された見本画像の画像データは、画像入力手段による入力をトリガーとして全て主記憶部１０３に記憶される態様でもよいが、選択された画像データのみを主記憶部１０３に記憶することが好ましい。例えば、撮影を失敗した画像コマを含む１本のフィルムの画像を一括して読み込んで、読み込んだ画像のうちから撮影を失敗した画像を省いて見本プリントを作成したいような場合に効果的である。
【００３７】
主記憶部１０３に記憶する画像データを選択する方法としては、メイン制御部１０１によって自動的に選択されるか、あるいはユーザの画像データを記憶する旨の指示を受け付けたことによって選択される方法がある。
【００３８】
メイン制御部１０１によって自動的に選択される場合は、例えば、画像診断ソフト等を介在させて、被写体が極端に画像の端に寄っていないことを基準として判断することができるが、その基準や判断方法は特に問わない。
【００３９】
また、ユーザによる指示を受け付ける場合は、画像入力手段で入力された画像をモニタ３００等の表示手段に表示して、該表示された画像を見本画像にするか否かをキーボード４００又はマウス５００等の入力手段により受け付ける。受け付けた入力は、操作入力部１０５を介して入力され、見本画像にする旨の入力があった画像のみを主記憶部１０３において記憶する。
【００４０】
次いで、記憶された見本画像の画像データが所定数に達したか否かが判断される（Ｓ３）。
【００４１】
見本画像の画像データが所定数記憶されたか否かは、メイン制御部１０１において判断される。かかるＳ３の判断において記憶された見本画像が所定数に達したと判断されるまで、Ｓ１及びＳ２の処理を繰り返す。
【００４２】
Ｓ３で所定数に達したと判断された場合は、背景生成手段において複数の見本画像毎に同一形状の背景を生成する（Ｓ４）。
【００４３】
背景生成処理部１０６は、見本プリントに見本画像として表示する画像の数だけ同一形状の背景を生成する。
【００４４】
Ｓ４で背景を生成すると、生成した背景に、画像を特定する注文番号を互いに重ならないようにはめ込んでプリント画像データを生成する（Ｓ５）。
【００４５】
プリント画像データ生成処理部１０７は、背景生成処理部１０６によって生成された背景に見本画像と該見本画像を特定する注文番号を互いに重ならないようにはめ込んでプリント画像データを生成する。
【００４６】
見本画像と該見本画像を特定する注文番号を互いに重ならないようにとは、注文番号の存在によって見本画像に見えない部分が生じたり、見本画像の存在によって注文番号に見えない部分が生じたりしないようにすることである。
【００４７】
生成されたプリント画像データは、プリント画像データ出力部１０８を介してプリンタ６００等のプリント手段に送られてプリントされることによって、見本プリントを得ることができる。
【００４８】
図４及び図５は、プリント画像データ生成処理部１０７によって生成されたプリント画像データに基づいてプリントされた見本プリントの例を示す図である。
【００４９】
図４及び図５において、見本プリント１１には、背景１２ａ、１２ｂ、１２ｃ、…の上に、見本画像１３ａ、１３ｂ、１３ｃ…が表示され、該見本画像を特定する注文番号１４ａ、１４ｂ、１４ｃ…が見本画像１３ａ、１３ｂ、１３ｃ…に重ならないように表示されている。
【００５０】
背景１２ａ、１２ｂ…は、複数の画像毎に同一形状に形成される。背景が同一形状に形成されると、注文番号が見易い効果がある。図４においては、背景１２ａ、１２ｂ…が四角形状に形成されている例を示している。四角形状に形成すると、視覚的にまとまりがあり、スペース的にも１枚の見本プリントにより多くの見本画像をより大きく表示できるので好ましい。
【００５１】
また、背景１２ａ、１２ｂ…の別の好ましい態様として、図５に示すように前記注文番号をはめ込むためのタグ部１５ａ、１５ｂ…を有する形状に形成される態様も挙げられる。タグ部１５ａ、１５ｂ…を有する形状に形成すると、注文番号が目立つので注文番号を追いやすい効果がある。  
【００５２】
見本画像１３ａ、１３ｂ…は、画像入力手段１で入力された画像データに基づいてプリントされる。横撮りの見本画像１３ａと縦撮りの見本画像１３ｂがあるが、同一形状の背景１２ａ及び１２ｂにはめ込まれる。
【００５３】
注文番号１４ａ、１４ｂ…は、注文者が注文するための番号であり、見本画像１３ａ、１３ｂ…と重ならないように背景１２ａ、１２ｂ…にはめ込まれる。図４においては、前記背景１２ａ、１２ｂ…は四角形状に形成され、注文番号１４ａ、１４ｂ…は対応する前記見本画像１３ａ、１３ｂ…の上部、下部、左部、右部の何れかの位置にはめ込まれている例を示している。また、図５においては、前記背景１２ａ、１２ｂ…は前記注文番号をはめ込むためのタグ部１５ａ、１５ｂ…を有する形状に形成されて、注文番号１４ａ、１４ｂ…は該タグ部１５ａ、１５ｂ…にはめ込まれている例を示している。
【００５４】
見本画像と対応する注文番号が互いに重ならないように背景にはめ込まれるので、見本画像に対応する注文番号を間違えることなく、注文時に画像全体を確認することができる。
【００５５】
尚、上記の態様では、メイン制御部１と表示制御部１０４、背景生成処理部１０６、プリント画像データ生成処理部１０７とを別々の装置として説明したが、各制御及び処理を行うためのプログラムを記憶したＲＯＭやＲＡＭ等の主記憶装置と該プログラムを演算処理するＣＰＵ等の演算装置により一体として構成することができる。
【００５６】
本発明のプログラムは、見本プリントを作成する写真スタジオなどのコンピュータにインストールしたりして実施可能になるが、インストールする手段は本発明のプログラムを記憶保存してなる記録媒体を介して行ってもよいし、あるいはネット経由でプログラムをダウンロードしてもよい。
【図面の簡単な説明】
【００５７】
【図１】本発明の見本プリント作成プログラムの処理を実現する見本プリント作成システムの概略構成の一例を示す図
【図２】見本プリント作成システムに用いられるコンピュータの一例を示すブロック図
【図３】本発明のプリント用画像データ生成プログラムによって制御される図１の見本プリント作成プログラムの処理フローを示す図
【図４】本発明の見本プリント作成システムにおいて作成される見本プリントの一例を示す図
【図５】本発明の見本プリント作成システムにおいて作成される見本プリントの他の一例を示す図
【図６】従来の見本プリントの一例を示す図
【図７】従来の見本プリントの他の一例を示す図
【符号の説明】
【００５８】
１００：コンピュータ
１０１：メイン制御部
１０２：画像入力部
１０３：主記憶部
１０４：表示制御部
１０５：操作入力部
１０６：背景生成処理部
１０７：プリント画像データ生成処理部
１０８：プリント画像データ出力部
１０９：外部通信部
２００：スキャナ
３００：モニタ
４００：キーボード
５００：マウス
６００：プリンタ
【図１】
2005059520.tif 000003
【図２】
2005059520.tif 000004
【図３】
2005059520.tif 000005
【図４】
2005059520.tif 000006
【図５】
2005059520.tif 000007
【図６】
2005059520.tif 000008
【図７】
2005059520.tif 000009